(57)【特許請求の範囲】
【請求項１】
ヒンジにより接合されて２分割されたケースに、サンプリング機能を備えた測定装置本体を埋め込み固定するとともに、サンプリングユニット、警報ユニット、前記サンプリングユニットに接続するホースをバネ蓄勢力により巻き取るコードリール及び前記警報ユニットのケーブルをバネ蓄勢力により巻き取るコードリールとを接離可能な状態で合体させて取り出し可能に収納してなる可搬型ガス測定装置。
【請求項２】
前記ケースがブロー成形によりキャリングケースとして構成されている請求項１に記載の可搬型ガス測定装置。
【請求項３】
前記ケースの一方の側に前記ホース、及びケーブルを引出す凹部が、また前記ケースの他方の側に前記凹部に対向する張出部が形成されている請求項１に記載の可搬型ガス測定装置。
【請求項４】
前記各コードリールを構成するハウジングの合体されたとき対向する面に、周方向に延びる複数の溝、または前記溝に嵌まり込みかつ周方向に回動されたとき前記溝に係合する爪が形成されている請求項１に記載の可搬型ガス測定装置。
【発明の詳細な説明】
【０００１】
【発明の属する技術分野】
本発明は、本体装置から離れた領域における環境のガスの濃度を測定し、かつ測定領域で警報可能とした可搬型ガス測定装置に関する。
【０００２】
【従来の技術】
マンホール等の狭所での作業においては有害ガスの発生を逸早く検出して、作業員を避難させるため、ガス測定装置本体、サンプリングホース、警報ユニットをキットとしてハードケースに収容し、ガス測定装置本体を地上に設置し、またサンプリングユニット、警報ユニットをホース、及びケーブルを介して現場に引き込み、現場で確実に有害ガスの濃度を知ることができるようにした可搬型ガス検出装置が用いられている。
【０００３】
【発明が解決しようとする課題】
しかしながら、これらのホースやケーブルは引き回しの便を考慮して可及的に細いものが用いられるため、ケースへの収納時に折れ曲がった状態で収容されてしまし破損しやすいという問題がある。このような問題を解消するため、それぞれをハンドル操作により巻き取るリールに収納することも考えられるが、ケースに収容可能な程度の小型に構成しようとすると、操作性が低下するという問題がある。
本発明はこのような問題に鑑みてなされたものであって、その目的とするところは、ホースやケーブルの取り扱いが簡便な可搬型ガス測定装置を提供することである。
【０００４】
【課題を解決するための手段】
このような問題を解消するために本発明においては、ヒンジにより接合されて２分割されたケースに、サンプリング機能を備えた測定装置本体を埋め込み固定するとともに、サンプリングユニット、警報ユニット、前記サンプリングユニットに接続するホースをバネ蓄勢力により巻き取るコードリール及び前記警報ユニットのケーブルをバネ蓄勢力により巻き取るコードリールとを接離可能な状態で合体させて取り出し可能に収納するようにした。
【０００５】
【作用】
バネ蓄勢力を開放すればハンドルの回動等の操作を必要とすることなくホース及びケーブルを巻き取ることができ、また２つのコードリールが合体されるため、容易に整頓した状態で状態でケースに収納できる。
【０００６】
【発明の実施の形態】
そこで以下に本発明の詳細を図示した実施例に基づいて説明する。
図１、図２は、それぞれ本発明の可搬型ガス検出装置の一実施例を、ケースの蓋体を開放した状態で示すものであって、ケース１は、ブロー成形により軽量で、緩衝性に優れ、開口面に対してほぼ対象な形状のケース本体２と、これにヒンジにより開閉可能なケース蓋体３とにより構成されていて、ケース本体２の一側寄りには裏面の開口４からプラグ５の引出が可能な電源リール６を内蔵するともに、バックアップ電池７を収容した測定装置本体８が埋め込まれ、ネジ９により固定されている。
【０００７】
測定装置本体は、大略、外気を吸引するサンプリングポンプと、サンプリングされた空気中の特定のガスを検出するセンサーと、センサーからの信号を処理して表示パネル１８に出力するとともに、ガス濃度が警報レベルを超えた場合に警報信号を出力する信号処理回路とから構成されている。
【０００８】
ケース本体２は、測定装置本体８の他側に仕切り１０により区分されて奥側に図３に示したように合体可能な１対のコードリール１１、１２の収容部１３が、また手間側に警報ユニット１４の収容部１５が形成されている。
【０００９】
ケース本体２のコードリール側の壁２ａにはホース１６及びケーブル１７の引出しが可能な凹部２ｂが形成され、また蓋体３には凹部２ｂを覆う突出部３ａ、及び測定装置本体４の表示パネル１８を外部から視認できる窓１９が形成されている。
【００１０】
コードリール１１、１２に巻き取られるホース１６の終端は、コードリール１１のコネクタ２０に接続され、ホース２１により測定装置本体４のガス取入口２２に、またケーブル１７の終端は、コネクタ２３に接続され、ケーブル２４を介して測定装置本体４のコネクタ２５に接続されている。なお、図中符号２７は、ホース１６の先端に接続されたサンプリングユニットを、また図中符号２８は電池収容部の蓋を示す。
【００１１】
図３、図４は、同上コードリールの一実施例を示すものであって、これらは通常のコードリールと同様にホース１６やケーブル１７の引出しにより付勢される図示しない渦巻バネをハウジング３０、３１に内蔵させて構成されており、ケース本体２に収容されたとき凹部２ｂの側となる面にはホース引出し口３２、ケーブル引出し口３３が、またその上部には、引出し時に付勢されたバネの付勢力を解除する巻取ボタン３４、３５、及び取っ手３６、３７が設けられている。
【００１２】
一方、合体されたとき、対向する面３８、３９の一方の面３８には、周方向に延びる複数、この実施例では３本の溝４０、４０、４０が、また他方の面３９には、これら溝４０、４０、４０に嵌まり込み、かつ周方向に回動されたとき溝４０、４０、４０に係合する爪４１、４１、４１が形成されている。なお、端部側に配置される測定装置本体側に収容されるホースリール１１は、取っ手の近傍に凹部３０ａが形成されいて、図３に示したように合体された状態でもコードリール１２のコネクタ２３が、リール１１に塞がれることなく露出するように構成されている。
【００１３】
この実施例において、合体されたリール１１、１２をケース本体２から取り出し、ホース１６及びケーブル１７を引出してサンプリングユニット２７、警報ユニット１４を引出して所定の位置にセットし、再びリール１１、１２をケース本体２の収容部１３に納める。
【００１４】
そしてホース１６、ケーブル１７をケース本体２の凹部２ｂに落とし込んで蓋３を閉めると、図５に示したように蓋３の張出部３ａがこれらホース１６、ケーブル１７を跨いだ状態でほぼ密閉状態となり、雨水の侵入を可及的に防止でき、またリール１１の巻取ボタン３４、３５が露出していないため、巻取ボタン３４、３５が操作されて測定に障害を来すことが防止できる。このように蓋３を閉じた状態でも窓１９を通して測定装置本体８の表示パネル１８を見ることができる。
【００１５】
また、合体状態では取り扱いが不便な場合には、それぞれのリール１１、１２を図３における矢印Ａ、Ｂで示すように回動すると、爪４１が溝４０から外れて分離可能となる。また分離されているものを合体させる場合には、爪４１が溝４０に入る位置までずらせてこれらを係合させた状態で、矢印Ａ、Ｂとは逆方向に回動させると爪４１が溝４０に食込んで固定される。
【００１６】
この状態で、ケース１の開口４からプラグ５を引出して商用電力のソケットに接続して商用電力を供給して測定装置本体８を作動させると、被測定環境の空気がホース１６を経由して測定され、その濃度が表示パネル１８に表示される。表示パネル１８の表示内容は、窓１９を通して外部から見ることができる。
【００１７】
そして、監視対象のガスの濃度が警報レベルを超えると、測定装置本体８から警報信号が出力する。この警報信号は、ケーブル１７により測定装置本体８から離れた警報ユニット１４に伝送されて現場で警報を発する。
【００１８】
このようにして測定作業が収容した段階で、蓋３を開放してリール１１、１２の巻取ボタン３４、３５を押圧すると、それぞれのバネのトルクが開放されてホース１６、ケーブル１７が巻き取られる。警報ユニット１４を凹部１５に、またサンプリングユニット２７を図２に示したように測定装置本体とリール１１との間に収容して蓋３を閉めると、きゃリングケースとなるので次の現場等への持ち運びが可能となる。
【００１９】
【発明の効果】
以上、説明したように本発明においては、ヒンジにより接合されて２分割されたケースに、サンプリング機能を備えた測定装置本体を埋め込み固定するとともに、サンプリングユニット、警報ユニット、サンプリングユニットに接続するホースをバネ蓄勢力により巻き取るコードリール及び警報ユニットのケーブルをバネ蓄勢力により巻き取るコードリールとを接離可能な状態で合体させて取り出し可能に収納したので、バネ蓄勢力を開放すればハンドルの回動等の操作を必要とすることなく測定のために引出されたホース及びケーブルを巻き取ることができ、また２つのコードリールが合体されるため、容易に整頓した状態で状態でケースに収納することができる。
【図面の簡単な説明】
【図１】本発明の可搬型ガス測定装置の一実施例を蓋体を開放した状態で示す斜視図である。
【図２】同上装置のケース本体の上面図である。
【図３】同上装置に内蔵されるコードリールを合体させた状態で示す図である。
【図４】図（ａ）、（ｂ）は、それぞれ上記リールの接合面の構造を示す図である。
【図５】同上装置の一使用状態を示す図である。
【符号の説明】
１  ケース
２  ケース本体
２ａ  壁
２ｂ  凹部
３ａ  突出部
８  測定装置本体
９  ネジ
１０  仕切り
１１、１２  コードリール
１３  収容部
１４  警報ユニット
１５  収容部
１６  ホース
１７  ケーブル
１８  表示パネル
１９  窓
２７  サンプリングユニット
３０、３１  ハウジング
３２、３３  引出し口
３４、３５  巻取ボタン
３６、３７  取っ手
４０  溝
４１  爪
【図１】
0003601682.tif 000002
【図２】
0003601682.tif 000003
【図３】
0003601682.tif 000004
【図４】
0003601682.tif 000005
【図５】
0003601682.tif 000006